(57)【要約】【課題】従来のピットカバー装置は、車両の停止位置によっては、ピットの上面開口部を完全に塞ぐことができない場合があった。【解決手段】本発明のピットカバー装置は、床面に形成した前後方向に延びるピットの上面開口部の後端から前方に向かって、該ピットの上面開口部を塞ぐ後側カバー装置と、前記ピットの上面開口部の前端から後方に向かって、前記ピットの上面開口部を塞ぐ前側カバー装置とよりなることを特徴とする。【選択図】図１
2020015452.tif 000002
【特許請求の範囲】
【請求項１】
床面に形成した前後方向に延びるピットの上面開口部の後端から前方に向かって、該ピットの上面開口部を塞ぐ後側カバー装置と、
前記ピットの上面開口部の前端から後方に向かって、前記ピットの上面開口部を塞ぐ前側カバー装置とよりなることを特徴とするピットカバー装置。
【請求項２】
前記後側カバー装置及び前記前側カバー装置は、それぞれ前記ピットの上面開口部を塞ぐ、それぞれ傾動自在に線状に連結された複数のカバー体素子と、
該各カバー体素子を、前記上面開口部の前後方向に移動させる、移動手段とよりなることを特徴とする請求項１に記載のピットカバー装置。
【請求項３】
前記後側カバー装置の先端のカバー体素子、または、前記前側カバー素子の先端のカバー体素子の少なくとも一つに接触を検知するセンサーを設けたことを特徴とする請求項２に記載のピットカバー装置。
【請求項４】
前記後側カバー装置の先端のカバー体素子及び前記前側カバー装置の先端のカバー体素子を所望の位置に停止させるために、前記移動手段を制御する制御装置を設けたことを特徴とする請求項２または３に記載のピットカバー装置。
【請求項５】
前記移動手段は、前記各ピット体素子にそれぞれ設けたラック部と、該ラック部に歯合する歯車と、該歯車を回転させる回転駆動装置よりなる。
【請求項６】
前記ラック部は、それぞれ隣接するカバー体素子が水平となった時に、該隣接するカバー体素子のラック部の端部の歯間が、前記各カバー体素子の歯間と同じに形成されることを特徴とする請求項５に記載のピットカバー装置。
【請求項７】
前記カバー体素子の上方に、前記カバー体素子の浮き上がりを防止するための押え具を設けたことを特徴とする請求項１乃至６のいずれか１に記載のピットカバー装置。
【請求項８】
前記ラック部に係合する歯車を、前後に２以上設けたことを特徴とする請求項１乃至７のいずれか１に記載のピットカバー装置。
【発明の詳細な説明】
【技術分野】
【０００１】
本発明は、自動車等の車両の点検整備等に用いるピットの上面開口を覆うためのピットカバー装置に関するものである。
【背景技術】
【０００２】
近年の車両は、安全や環境を考慮し、また、巻き込み防止や騒音対策として車両の底面が低くなっているため、車両の下回りの点検整備が行いにくくなっている。
【０００３】
そのため、例えば、整備工場内に、床面を掘って形成した前後方向に延びる凹状のピットを設け、例えば、車両を、ピットの前方に向かって、前記ピットを跨ぐように進入させて、該ピット上に車両を配置して、例えば、該ピット内に設けたリフト等により、車両を持ち上げたり、または、作業員等がこのピット内から作業をしたりすることにより、短時間で簡単に車両の下回りの整備や点検が行えるようになる。
【０００４】
なお、このピットは、使用用途に合わせて、フロアーリフト（ピット内に設けた、床面が昇降するリフト）や、ピットジャッキ／ピットリフト（車両を昇降させるリフト）を組み込んだ構造がある。
【０００５】
このようなピットとしては、例えば、特許文献１がある。
【先行技術文献】
【特許文献】
【０００６】
【特許文献１】特開平１０−１３８８８６号公報図１
【発明の概要】
【発明が解決しようとする課題】
【０００７】
前記ピットの上面開口は、車長が長い車両にも対応できるように、細長に形成されている。従って、例えば、図１１及び図１２に示すように、車長が長い車両１がピット２上に進入した場合には、該ピット２の上面開口部３は、該車両１により塞がれているが、例えば、図１３及び図１４に示すように、車長が短い車両４が進入した場合や、車両が進入していない場合には、前記ピット２の上面開口部３の一部又は全部が開口しているため、この上面開口部３に、作業員等が転落したり、物が落ちたりする不具合があった。
【０００８】
その対策として、従来、例えば、図１５に示すように、前記ピット２の上面開口部３を塞ぐピットカバー装置５が設けられる場合がある。
【０００９】
該ピットカバー装置５は、前記ピット２内の前端と後端にそれぞれ設けた前後のスプロケット６、７と、該スプロケット６、７にループ状となるように係合したローラーチェーン８と、それぞれ傾動自在に線状に連結された、複数の矩形板状のカバー体素子９とにより構成され、先端のカバー体素子９が、前記ローラーチェーン８に固定されている。
【００１０】
また、前記ピット２の、一方の端部、例えば、後端部に、前記各ピット体素子９の収納室１０が形成され、該収納室１０に前記各カバー体素子９が収納されるように形成される。
【００１１】
そして、前記スプロケット６、７を、例えば、図１５において反時計周りに、回転させることにより、前記ローラーチェーン８が、他方の側、例えば、前側に移動し、これにより、先端のカバー体素子９が引っ張られて、前記収納室１０から、各カバー体素子９を順次引き出されて、前記ピット２の上面開口部３を後端から、前方の所望の範囲まで塞がれるようになる。
【００１２】
また、前記スプロケット６、７を、時計回りに回転させれば、各カバー体素子９が前記収納室１０に順次収納されるようになる。
【００１３】
なお、前記各カバー体素子９は、例えば、前記ピット２内の左右側壁の上端縁にそれぞれ設けたレール（図示せず）に、前記カバー体素子９の左右端がそれぞれガイドされ、各カバー体素子９の上面が水平となって、前記ピット２の上面開口部３の前後方向に移動するようになる。
【００１４】
しかしながら、前記従来のピットカバー装置５は、ピット２の上面開口部３を、一方の端から塞いでいくため、全面を塞ぐには、時間がかかる。
【００１５】
また、車両をピット２の他方の端に位置させて停止しなければ、ピット２の開口部３の他方側が開口してしまう。
【００１６】
また、ピット２内に設けた点検整備装置によっては、車両を他方の端に位置させて停止できず、そのような場合も、ピット２の他方側が開口してしまう場合があった。
【００１７】
また、ローラーチェーン８をピット２内の先端から後端まで往復して取り付ける必要があった。
【００１８】
本発明は、前記問題点を解消するもので、安全、容易にカバー体素子を移動できることを目的とする。
【課題を解決するための手段】
【００１９】
本発明は前記の目的を達成すべく、本発明のピットカバー装置は、床面に形成した前後方向に延びるピットの上面開口部の後端から前方に向かって、該ピットの上面開口部を塞ぐ後側カバー装置と、前記ピットの上面開口部の前端から後方に向かって、前記ピットの上面開口部を塞ぐ前側カバー装置とよりなることを特徴とする。
【００２０】
また、前記後側カバー装置及び前記前側カバー装置は、それぞれ前記ピットの上面開口部を塞ぐ、それぞれ傾動自在に線状に連結された複数のカバー体素子と、該各カバー体素子を、前記上面開口部の前後方向に移動させる、移動手段とよりなることを特徴とする。
【００２１】
また、前記後側カバー装置の先端のカバー体素子、または、前記前側カバー素子の先端のカバー体素子の少なくとも一つに接触を検知するセンサーを設けたことを特徴とする。
【００２２】
また、前記後側カバー装置の先端のカバー体素子及び前記前側カバー装置の先端のカバー体素子を所望の位置に停止させるために、前記移動手段を制御する制御装置を設けたことを特徴とする。
【００２３】
また、前記移動手段は、前記各ピット体素子に設けたラック部と、該ラック部に歯合する歯車と、該歯車を回転させる回転駆動装置よりなる。また、前記ラック部は、それぞれ隣接するカバー体素子が水平となった時に、該隣接するカバー体素子のラック部の端部の歯間が、前記各カバー体素子の歯間と同じに形成されることを特徴とする。
【００２４】
また、前記カバー体素子の上方に、前記カバー体素子の浮き上がりを防止するための押え具を設けたことを特徴とする。
【００２５】
また、前記ラック部に係合する歯車を、前後に２以上設けたことを特徴とする。
【発明の効果】
【００２６】
本発明のピットカバー装置によれば、ピット上に進入させる車両の長さ、又は、停止位置に関わらず、上面開口部３の必要な部分を開口、又は、塞ぐことができるようになる。
【図面の簡単な説明】
【００２７】
【図１】本発明のピットカバー装置の説明用概略縦断側面図である。
【図２】本発明のピットカバー装置の後側カバー装置の説明用縦断側面図である。
【図３】本発明のピットカバー装置のブロック図である。
【図４】本発明のピットカバー装置の後側カバー装置の説明用概略側面図である。
【図５】本発明のピットカバー装置のカバー体素子の説明用底面図である。
【図６】本発明のピットカバー装置のカバー体素子及び歯車の説明用底面図である。
【図７】本発明のピットカバー装置のカバー体素子及び歯車の説明用側面図である。
【図８】本発明のピットカバー装置の説明用縦断側面図である。
【図９】本発明のピットカバー装置の他の説明用縦断側面図である。
【図１０】本発明のピットカバー装置の更に他の説明用縦断側面図である。
【図１１】従来のピットと車両の説明用縦断側面図である。
【図１２】図１１における平面図である。
【図１３】従来のピットと他の車両の説明用縦断側面図である。
【図１４】図１３における平面図である。
【図１５】従来のピットカバー装置の縦断側面図である。
【発明を実施するための形態】
【００２８】
以下、図１〜図１０によって本発明の実施例を説明する。
【実施例１】
【００２９】
１．ピットカバー装置の説明
【００３０】
本発明のピットカバー装置は、図１〜図３に示すように、前記ピット２の上面開口部３の後端から前方側に向かって、該ピット２の上面開口部３を塞ぐ後側カバー装置１１と、前記ピット２の上面開口部３の前端から後方に向かって、該ピット２の上面開口部３を塞ぐ前側カバー装置１２と、該後側カバー装置１１と前側カバー装置１２を制御する制御装置１３とよりなる。
【００３１】
２．後側カバー装置１１の説明
【００３２】
前記後側カバー装置１１は、例えば、図１及び図２に示すように、前記ピット２の上面開口部３を塞ぐ、それぞれ傾動自在に線状に連結された、複数の矩形板状のカバー体素子１４と、該各カバー素子１４を、前記上面開口部の前後方向に沿って移動させる、前記ピット２の後方に固定して設けられた移動手段１５と、先端の前記カバー体素子１４ａの先端に設けられた接触センサー１６とよりなる。
【００３３】
なお、前記各カバー体素子１４は、前記ピット２の後端部に形成された収納室１７に格納され、先端側のカバー体素子１４ａから、前記収納室１７の前に設けられた前記移動手段１５により、順次、上面開口部３に引き出されて、前記上面開口部３を塞ぐように形成されている。
【００３４】
また、前記各カバー体素子１４の左右の側面の前後には、図４に示すように、それぞれガイド軸１８が突出して設けられ、該ガイド軸１８が、例えば、前記ピット３内の左右側壁の上端縁に前後方向に沿って形成されたレール（図示せず）に、それぞれ係合して、前記上面開口部３の前後方向に沿って移動自在に設けられる。
【００３５】
また、図４に示すように、例えば、線状に連結された前記カバー体素子１４のうち、例えば、３個おきなど、所望の個数おきの各カバー体素子１４ｂの前後の前記ガイド軸１８ａのいずれか一方のガイド軸１８ａの長さを、他のカバー体素子１４のガイド軸１８の長さより長く形成すると共に、前記収納室１７内の左右の側壁に、前後方向に沿って、前記長いガイド軸１８ａのみと係合する収納室レール（図示せず）を設けるようにし、これにより、前記所望の数のカバー体素子１４ごとに折り畳んで、収納可能とされるようになる。
【００３６】
なお、前記収納室レールは、折り畳まれる上下端のカバー体素子１４は、カバーの開閉時に大きく旋回して折り畳まれるため、後方に向かうに従って、下方に傾斜するように設け、これにより、クリアランスを確保し、前記カバー体素子１４の旋回時に、収納されているカバー体素子１４への干渉を回避し、騒音を低減できるようにするのが好ましい。
【００３７】
３．移動手段の説明
【００３８】
前記移動手段１５は、例えば、図２、図５〜図７に示すように、前記各カバー体素子１４の下面の左右にそれぞれ、前後方向に延びるラック部１９ａ、１９ｂと、該左右のラック部１９ａ、１９ｂのそれぞれ歯合（噛み合い）可能な前側の歯車２０ａ、２０ｂと、前記左右のラック部１９ａ、１９ｂにそれぞれ歯合可能な後側の歯車２１ａ、２１ｂと、各歯車を回転駆動させる回転駆動装置２２とより、前記各歯車を回転させて、該歯合したカバー体素子１４を移動させて、それより前方のカバー体素子１４を押し出して、前記上面開口部３を塞ぐ、或いは、前方のカバー体素子１４を引くようして、前記収納室１７に収納するようにする。
【００３９】
また、前記ラック部１９ａ、１９ｂは、それぞれ隣接するカバー体素子１４、１４が水平となった時に、該隣接するカバー体素子１４、１４のラック部の端部の隣接する歯間αが、前記各カバー体素子１４の歯間βと同じとなるように形成される。これにより、各歯車が、隣接するカバー体素子１４のラック部にスムーズに歯合するようになる。
【００４０】
なお、前記左右の前側の歯車２０ａ、２０ｂの回転軸は同軸であってもよいが、歯飛びを防止するために、例えば、スプロケット（歯車）の半径の長さだけ、前後方向に軸の位置をずらして、設けることが好ましい。
【００４１】
また、前記左右の後側の歯車２１ａ、２１ｂの回転軸は同軸であってもよいが、歯飛びを防止するために、例えば、スプロケット（歯車）の半径の長さだけ、前後方向に軸の位置をずらして、設けることが好ましい。
【００４２】
なお、後側の歯車２１ａ、２１ｂ、あるいは、前側の歯車２０ａ、２０ｂのいずれか一方を省略してもよいが、歯飛びを防止するために、また、遊びによる脈動と、左右ブレを抑制するために、前後の歯車があった方が好ましい。
【００４３】
また、前記ピット２には、図２に示すように、例えば、前記歯車の上方に位置する部分の、前記カバー体素子１４の若干上方に、カバー体素子１４の浮き上がりを防止し、駆動力の逃げがないようにするための、例えば、板状の押え板２３などの押え具を設ける。
【００４４】
なお、前記カバー体素子１４と前記押え板２３との隙間は、前記歯車の歯の高さよりも、狭い間隔に設定されるのが好ましいが、これに限定されることがなく、前記カバー体素子１４と前記押え板２３が接触するようにしてもよい。
【００４５】
また、前記押え部材２３を弾性部材により形成し、変形可能とするようにしてもよい。
【００４６】
また、例えば、前記移動手段１５には、例えば、エンコーダなど、位置検出装置２３を設け、前記先端のカバー体素子１４ａの位置が分かるようにしてもよい。
４．前側カバー装置１２の説明
【００４７】
前記前側カバー装置１２は、図２に示すように、前記後側カバー装置１１と前後対称に構成され、説明を省略する。
【００４８】
５．作用と効果の説明
【００４９】
車両がない場合には、前記ピット２の上面開口部３は、例えば、図１に示すように、前記前側カバー装置１１及び前記後側カバー装置１２のカバー体素子１４により、塞がれている。
【００５０】
そして、車両をピット上に進入させる。
【００５１】
そして、作業員が、例えば、前記制御装置１３に設けたリモコン等の操作装置２４を用いて、手動で、前記カバー体素子１４をそれぞれ移動させて、図８や図９に示すように、必要な部分を開き、そして作業を行うようにする。
【００５２】
なお、パソコン等の入力装置２５を用いて、作業員が開口させたい部分を該入力装置に入力し、これにより、前記制御装置１３は、前記後側カバー装置１１の先端のカバー体素子１４及び前記前側カバー装置１２の先端のカバー体素子１４を所望の位置に停止するよう、前記移動手段１５を制御するようにしてもよい。
【００５３】
作業後は、作業員が手動で、リモコン等を操作して前記カバー体素子１４を移動させて、前記上面開口部３の全面を塞ぐようにする、或いは、前記入力装置２５に入力することにより、前記制御手段１３により、前記移動手段１５を制御して、自動で、前記上面開口部３を塞ぐようにしてもよい。
【００５４】
この際、前記先端のカバー体素子１４ａの位置は、前記位置検装置２３により検出されて、前記上面開口部３の全面を塞ぐようにしても良く、または、接触センサー１６が互いに接触した時に、カバー体素子１４の移動を停止するようにしてもよい。
【００５５】
なお、前記接触センサー１６は、後側カバー装置１１、又は、前側カバー装置１２のいずれか一方に設けるようにしてもよい。
【００５６】
また、位置検出装置を設けている場合には、接触センサーを省略してもよい。
【００５７】
本発明によれば、ピット上に進入させる車両の長さ、又は、停止位置に関わらず、上面開口部３の必要な部分を開口、又は、塞ぐことができるようになる。
【００５８】
また、上面開口部３の全面を塞ぐ際、例えば、図１のように、前後のカバー装置を中央部において当接させて、塞ぐようにする以外に、例えば、図１０に示すように、上面開口部３の前方側において、当接させて、塞ぐようにしてもよい。
【００５９】
これにより、前後のカバー装置で塞ぐ位置を特定する必要がないので、前記上面開口部の全面を容易に塞ぐことができると共に、迅速に塞ぐことができるようになる。
【００６０】
また、従来のように、ローラーチェーンを往復で取り付ける必要がなくなる。
【産業上の利用可能性】
【００６１】
本発明のピットカバー装置は、車検整備場や、車両整備工場等に用いられる。
【符号の説明】
【００６２】
１      長い車両
２      ピット
３      上面開口部
４      短い車両
５      ピットカバー装置
６      スプロケット
７      スプロケット
８      ローラーチェーン
９      カバー体素子
１０    収納室
１１    後側カバー装置
１２    前側カバー装置
１３    制御装置
１４    カバー体素子
１４ａ  カバー体素子
１４ｂ  カバー体素子
１５    移動手段
１６    接触センサー
１７    収納室
１８    ガイド軸
１８ａ  ガイド軸
１９ａ  ラック部
１９ｂ  ラック部
２０ａ  歯車
２０ｂ  歯車
２１ａ  歯車
２１ｂ  歯車
２２    回転駆動装置
２３    位置検出装置
２４    操作装置
２５    入力装置
【図１】
2020015452.tif 000003
【図２】
2020015452.tif 000004
【図３】
2020015452.tif 000005
【図４】
2020015452.tif 000006
【図５】
2020015452.tif 000007
【図６】
2020015452.tif 000008
【図７】
2020015452.tif 000009
【図８】
2020015452.tif 000010
【図９】
2020015452.tif 000011
【図１０】
2020015452.tif 000012
【図１１】
2020015452.tif 000013
【図１２】
2020015452.tif 000014
【図１３】
2020015452.tif 000015
【図１４】
2020015452.tif 000016
【図１５】
2020015452.tif 000017